(57)【要約】      （修正有）【課題】消火栓または補修弁を結合しているボルト・ナットの締め付け／取り外しの作業を地上から行うことが可能な消火栓ボックスの作業用工具セットを提供する。【解決手段】棒状本体部１０と、該棒状本体部１０の先端部に設けられ、ボルトの頭部に係合するボルト係合部１１とを有する第１特殊レンチ１と、棒状本体部２０と、該棒状本体部２０の先端部に設けられ、ナットに係合するナット係合部２１とを有する第２特殊レンチ２と、消火栓ボックスの上部のマンホール蓋を取り外した位置に載置される載置部を有すると共に、第１特殊レンチ１の挿入深さを調整し、当該調整が完了した状態で第１特殊レンチ１を保持可能な保持部を有する深さ調整治具３とを備え、第１特殊レンチ１を深さ調整治具３により保持させた状態で、第２特殊レンチ２を操作することでボルト・ナットの締め付け／取り外し作業を可能にした。【選択図】図５
0003169542.tif 000002
【実用新案登録請求の範囲】
【請求項１】
地下式の消火栓ボックス内に設置されている消火栓または補修弁を結合しているボルト・ナットの締め付け／取り外しを行うための作業用工具セットであって、
棒状本体部と、この棒状本体部の先端部に設けられ、ボルトの頭部に係合するボルト係合部と、を有する第１特殊レンチと、
棒状本体部と、この棒状本体部の先端部に設けられ、ナットに係合するナット係合部と、を有する第２特殊レンチと、
前記消火栓ボックスの上部に設置されるマンホール蓋を取り外した位置に載置される載置部を有すると共に、前記第１特殊レンチと前記第２特殊レンチのうちの一方の特殊レンチの挿入深さを調整し、当該調整が完了した状態で前記一方の特殊レンチを保持可能な保持部を有する深さ調整治具と、を備え、
前記一方の特殊レンチを前記深さ調整治具により保持させた状態で、他方の特殊レンチを操作することで前記ボルト・ナットの締め付け／取り外し作業を可能にしたことを特徴とする消火栓ボックスの作業用工具セット。
【請求項２】
前記深さ調整治具の前記保持部には、前記一方の特殊レンチの棒状本体部が通過可能な孔が形成され、
前記一方の特殊レンチの棒状本体部の表面に形成される雄ねじ部と、この雄ねじ部に螺合する調整ナットと、を備え、前記調整ナットは前記孔を通過できない大きさに設定されており、前記調整ナットの螺合位置により、前記一方の特殊レンチの挿入深さが設定されることを特徴とする請求項１に記載の消火栓ボックスの作業用工具セット。
【請求項３】
前記載置部は、断面四角形の直線状本体部を有し、当該直線状本体部の途中に前記孔が形成されることを特徴とする請求項２に記載の消火栓ボックスの作業用工具セット。
【請求項４】
前記ボルト係合部には、ボルトが下方に落下することを防止するボルト支持部が設けられていることを特徴とする請求項１〜３のいずれか１項に記載の消火栓ボックスの作業用工具セット。
【請求項５】
前記ボルト支持部は、ボルトの頭部よりも径の小さな孔を有するワッシャーであることを特徴とする請求項４に記載の消火栓ボックスの作業用工具セット。
【請求項６】
前記他方の特殊レンチを操作しているときに、前記一方の特殊レンチが共回りすることを防止する当接部を前記一方の特殊レンチに設け、前記当接部が前記消火栓または前記補修弁に当接することで、前記共回りが防止されることを特徴とする請求項１〜５のいずれか１項に記載の消火栓ボックスの作業用工具セット。
【考案の詳細な説明】
【技術分野】
【０００１】
本考案は、地下式の消火栓ボックス内に設置されている消火栓または補修弁を結合しているボルト・ナットの締め付け／取り外しを行うための作業用工具セットに関する。
【背景技術】
【０００２】
地下式の消火栓ボックス内の消火栓や補修弁のメンテナンスや管内調査を定期的に行う必要がある。例えば、管内をカメラで撮影したり、正常に動作しているか否かをチェックしている。かかる場合、地面に設置してあるマンホールの蓋を開けて、地下に形成された空間に作業員が入り込み、消火栓や補修弁のボルト・ナットの締め付け／取り外しを行う必要がある。
【考案の概要】
【考案が解決しようとする課題】
【０００３】
しかしながら、消火栓や補修弁が設置されている空間は狭いため、作業員が中で作業するには困難性が伴っている。
【０００４】
本考案は上記実情に鑑みてなされたものであり、その課題は、消火栓または補修弁を結合しているボルト・ナットの締め付け／取り外しの作業を地上から行うことが可能な消火栓ボックスの作業用工具セットを提供することである。
【課題を解決するための手段】
【０００５】
上記課題を解決するため本考案に係る消火栓ボックスの作業用工具セットは、
地下式の消火栓ボックス内に設置されている消火栓または補修弁を結合しているボルト・ナットの締め付け／取り外しを行うための作業用工具セットであって、
棒状本体部と、この棒状本体部の先端部に設けられ、ボルトの頭部に係合するボルト係合部と、を有する第１特殊レンチと、
棒状本体部と、この棒状本体部の先端部に設けられ、ナットに係合するナット係合部と、を有する第２特殊レンチと、
前記消火栓ボックスの上部に設置されるマンホール蓋を取り外した位置に載置される載置部を有すると共に、前記第１特殊レンチと前記第２特殊レンチのうちの一方の特殊レンチの挿入深さを調整し、当該調整が完了した状態で前記一方の特殊レンチを保持可能な保持部を有する深さ調整治具と、を備え、
前記一方の特殊レンチを前記深さ調整治具により保持させた状態で、他方の特殊レンチを操作することで前記ボルト・ナットの締め付け／取り外し作業を可能にしたことを特徴とするものである。
【０００６】
かかる構成による消火栓ボックスの作業用工具セットの作用・効果を説明する。この工具セットは、第１特殊レンチ、第２特殊レンチ、深さ調整治具により構成される。第１特殊レンチは、ボルトの頭部に係合するボルト係合部を有する。第２特殊レンチは、ナットに係合するナット係合部を備える。ボルト・ナットの締め付け／取り外しを行うときは、マンホール蓋を外した位置に深さ調整治具を載置させる。深さ調整治具は、第１特殊レンチまたは第２特殊レンチを保持可能である。仮に、第１特殊レンチを保持するとすれば、第１特殊レンチのボルト係合部をボルトに係合できるように、地上からの挿入深さを調整しながら保持部で保持させる。第１特殊レンチは棒状本体部の先端にボルト係合部が設けられているので、地上からの操作が可能である。また、第２特殊レンチも棒状本体部の先端部にナット係合部を設けているので、地上からの操作が可能である。さらに、第１特殊レンチは深さ調整治具で保持されており、第２特殊レンチの操作のみでボルト・ナットの締め付け／取り外し作業が可能になる。従って、作業員は地下の空間に入って作業する必要はない。その結果、消火栓または補修弁を結合しているボルト・ナットの締め付け／取り外しの作業を地上から行うことが可能になる。
【０００７】
なお、以上の構成において、第２特殊レンチを深さ調整治具により保持して、第１特殊レンチを作業員が操作するように構成してもよい。
【０００８】
本考案において、前記深さ調整治具の前記保持部には、前記一方の特殊レンチの棒状本体部が通過可能な孔が形成され、
前記一方の特殊レンチの棒状本体部の表面に形成される雄ねじ部と、この雄ねじ部に螺合する調整ナットと、を備え、前記調整ナットは前記孔を通過できない大きさに設定されており、前記調整ナットの螺合位置により、前記一方の特殊レンチの挿入深さが設定されることが好ましい。
【０００９】
この構成によると、棒状本体部の孔に第１特殊レンチまたは第２特殊レンチの棒状本体部が通過可能に構成されている。従って、特殊レンチの平面内における位置を安定させることができる。また、棒状本体部には雄ねじ部が形成され、これに調整ナットを螺合させることができる。調整ナットは孔を通過できないので、調整ナットの調整高さにより、特殊レンチの先端部の挿入深さを決めることができる。この作業も地上で行うことができ、作業を簡単にすることができる。
【００１０】
本考案に係る前記載置部は、断面四角形の直線状本体部を有し、当該直線状本体部の途中に前記孔が形成されることが好ましい。
【００１１】
載置部は断面四角形の直線状本体部を有するので、マンホール蓋を取り外した後のマンホール穴にまたがるように、安定した状態で載置することができる。直線状本体部の途中に特殊レンチを保持するための孔が形成される。従って、蓋体調整治具の取り扱いやマンホール穴に載置する場合の作業も簡単に行うことができる。
【００１２】
本考案に係る前記ボルト係合部には、ボルトが下方に落下することを防止するボルト支持部が設けられていることが好ましい。
【００１３】
ボルト・ナットの取り外し作業を行う時に、ボルト・ナットが完全に緩んだ後、ボルトが下方に落下する可能性がある。そこで、ボルト支持部を設けることで、ボルトの不用意な落下を防止し、メンテナンス作業に不具合が生じないようにすることができる。
【００１４】
本考案に係る前記ボルト支持部は、ボルトの頭部よりも径の小さな孔を有するワッシャーであることが好ましい。
【００１５】
かかるワッシャーにより確実にボルトの落下を防止することができ、また、ボルト支持部の構成も安価に実現することができる。
【００１６】
本考案において、前記他方の特殊レンチを操作しているときに、前記一方の特殊レンチが共回りすることを防止する当接部を前記一方の特殊レンチに設け、前記当接部が前記消火栓または前記補修弁に当接することで、前記共回りが防止されることが好ましい。
【００１７】
ボルト・ナットの締め付け／取り外し作業を行っている時に、例えば、第２特殊レンチでナットを緩めている時に、ボルトを係合している第１特殊レンチが共周りすると、作業が効率よく行えない。そこで、かかる場合に、第１特殊レンチの共周りを防止することで、第２特殊レンチの操作をスムーズに行うことができる。以上の点は、第１特殊レンチの操作を行う時に、第２特殊レンチの共回りを防止する場合についても同様である。
【００１８】
本考案に係る消火栓ボックスの作業用工具セットを用いた消火栓ボックスのメンテナンス方法は、
棒状本体部と、この棒状本体部の先端部に設けられ、ボルトの頭部に係合するボルト係合部と、を有する第１特殊レンチと、
棒状本体部と、この棒状本体部の先端部に設けられ、ナットに係合するナット係合部と、を有する第２特殊レンチと、
前記消火栓ボックスの上部に設置されるマンホール蓋を取り外した位置に載置される載置部を有すると共に、前記第１特殊レンチと前記第２特殊レンチのうちの一方の特殊レンチの挿入深さを調整し、当該調整が完了した状態で前記一方の特殊レンチを保持可能な保持部を有する深さ調整治具と、を備えた作業用工具セットを使用するものであり、
前記一方の特殊レンチを前記深さ調整治具の保持部により保持させて、前記深さ調整治具を載置する工程と、
前記一方の特殊レンチの挿入深さを調整する工程と、
前記一方の特殊レンチのボルト係合部又はナット係合部をボルトまたはナットに係合させる工程と、
前記他方の特殊レンチを操作することでナットまたはボルトの締め付け／取り外し作業を行う工程と、を有することを特徴とする。
【００１９】
本考案において、前記深さ調整治具の前記保持部には、前記一方の特殊レンチの棒状本体部が通過可能な孔が形成され、前記一方の特殊レンチの棒状本体部の表面に形成される雄ねじ部と、この雄ねじ部に螺合する調整ナットと、を備え、前記調整ナットは前記孔を通過できない大きさに設定されており、
前記調整ナットの螺合位置を調整することにより、前記一方の特殊レンチの挿入深さを設定する工程を更に有することが好ましい。
【図面の簡単な説明】
【００２０】
【図１】地下式の消火栓ボックスの構成を示す図
【図２】第１特殊レンチを示す（ａ）側面図及び（ｂ）底面図
【図３】第２特殊レンチを示す（ａ）側面図及び（ｂ）底面図
【図４】深さ調整治具を示す（ａ）平面図及び（ｂ）側面図
【図５】作業用工具セットを用いてボルト・ナットを取り外す時の作業を説明する図
【図６】図５の要部を示す図
【考案を実施するための形態】
【００２１】
本考案に係る消火栓ボックスの作業用工具セットの好適な実施形態を図面を用いて説明する。図１は、地下式の消火栓ボックスの構成を示す図である。
【００２２】
＜消火栓ボックスの構成＞
地面Ａよりも下面（地下）に消火栓ボックスＢが設けられている。地下には水平に配管１００が載置され、配管１００の分岐部１０１の上に補修弁１０２と消火栓１０３が配置されている。消火栓ボックスＢは、地下の壁面１０４により囲まれた空間に設置されている。空間の上部は、マンホール蓋１０５により閉鎖されている。
【００２３】
消火栓１０３は、本体部１０３ａとこの本体部１０３ａの下部に形成されたフランジ１０３ｂを有する。補修弁１０２は、本体部１０２ａと、上部フランジ１０２ｂと、下部フランジ１０２ｃを有する。分岐部１０１は、垂直な本体部１０１ａとこの本体部１０１ａの上部に形成されたフランジ１０１ｂを有する。
【００２４】
補修弁１０２の上部フランジ１０２ｂと、消火栓１０３のフランジ１０３ｂは、円周方向に沿って複数個所、ボルト２００とナット２０１により連結されている。分岐部１０１のフランジ１０１ｂと、補修弁１０２の下部フランジ１０２ｃも、円周方向に沿って複数個所、ボルト２０２とナット２０３により連結されている。
【００２５】
消火栓ボックスＢは、定期的にメンテナンスを行う必要がある。例えば、消火栓１０３や補修弁１０２のメンテナンスや、配管１００の管内調査をカメラで行う場合など、消火栓１０３を外す必要がある。消火栓１０３を外すためには、上記のボルト２００とナット２０１を取り外す作業が必要である。また、メンテナンスが終了した後に、再びボルト２００とナット２０１を締め付ける必要がある。かかる作業を地下の空間に作業員が入って行うことは、空間が狭いこともあり、かなりの困難性を伴う。そこで、本考案では、地上からボルト・ナットの締め付け／取り外し作業を行うことができるように、作業用工具セットを使用する。
【００２６】
＜作業用工具セット＞
作業用工具セットは、第１特殊レンチ、第２特殊レンチ、深さ調整治具により構成される。図２は、第１特殊レンチ１を示す（ａ）側面図及び（ｂ）底面図である。図３は、第２特殊レンチ２を示す（ａ）側面図及び（ｂ）底面図である。図４は、深さ調整治具３を示す（ａ）平面図及び（ｂ）側面図である。
【００２７】
第１特殊レンチ１は、棒状本体部１０を有し、その上側の表面に雄ねじ部１０ａが設けられ、その下側は工具連結部１０ｂとなっている。工具連結部１０ｂは、金属製の軸部材により構成され、その上端部に雄ねじ部１０ａの下端が挿入され、溶接されることで固定される。工具連結部１０ｂの下端部にボルト係合部１１が固定される。ボルト係合部１１は、ボルトの頭部と係合可能な穴１１ａ（例えば、六角穴）を有している。ボルト係合部１１は、図２（ａ）にも示すように側面視でＬ字形であり、その上部先端が工具連結部１０ｂの下端部に挿入され、溶接されることで固定される。雄ねじ部１０ａには、後述するように、高さ調整用のナットが螺合される。
【００２８】
ボルト係合部１１の穴１１ａの裏面側には、ボルト支持部として機能するワッシャー１２が溶接等の方法で固定されている。ワッシャー１２の内径は、穴１１ａよりも小さいので、ボルトが緩められた後も落下しないようにすることができる。
【００２９】
また、ボルト係合部１１の穴１１ａの隣接する上面には、共回りを防止するための当接部１３が取り付けられている。図２（ｂ）に示されるように、ボルト係合部１１の形状に直交するような形状を有しており、第１当接部分１３ａと第２当接部分１３ｂを有している。この当接部１３の機能は、後述するようにボルトあるいはナットの締め付け／取り外し作業を行う時に、第１特殊レンチ１が一緒に回ることを防止するものである。
【００３０】
図３に示すように、第２特殊レンチ２は、棒状本体部２０を有し、金属製の軸部材により形成される。棒状本体部２０の上端部には、操作部２２が溶接により固定される。操作部２２は、リング状の部分を有し、作業員がこの部分を持って操作することで第２特殊レンチ２を回転させるなどの操作を行うことができる。
【００３１】
棒状本体部２０の下端部にはナット係合部２１が固定される。ナット係合部２１は、ナットを係合させる係合溝２１ａを有している。ナット係合部２１は、図３（ａ）にも示すように側面視でＬ字形であり、その上部先端が棒状本体部２０の下端部に挿入され、溶接されることで固定される。
【００３２】
図４に示すように、深さ調整治具３は、断面四角形の直線状本体部３０（載置部に相当する）と、この直線状本体部３０の途中に孔３１が形成される。この孔３１の内径は、第１特殊レンチ１の雄ねじ部１０ａを通過させることができる大きさに設定されている。また、この孔３１の内径は、後述する深さ調整用のナットが通過できないような大きさに設定されている。従って、当該ナットと孔３１により、特殊レンチの保持部を構成する。
【００３３】
四角形の形状については、特定の大きさ、特定の縦横比に限定されるものではない。長方形でもよいし、正方形でもよい。断面四角形であるから、転がることなく安定して、マンホール蓋１０５を取り外した位置に載置することができる。
【００３４】
＜作業＞
次に、上記の作業用工具セットを用いてボルト・ナットを取り外す時の作業を図５により説明する。ここでは、消火栓１０３を補修弁１０２から取り外すために、ボルト２００とナット２０１を緩めて取り外す時の作業を説明する。図５は、作業用工具セットをセットした状態を示し、図６は、その要部の拡大図を示し、（ａ）要部側面図と（ｂ）腰部の底面図を示す。なお、消火栓１０３を取り外す時は、補修弁１０２の弁は閉じた状態にセットされている。
【００３５】
まず、第１特殊レンチ１の雄ねじ部１０ａを深さ調整治具３の孔３１の下方から挿入する。次に、雄ねじ部１０ａの上端から深さ調整用のナット３２を挿入および螺合させる。なお、工具連結部１０ｂの外径は孔３１を通過できない大きさに設定されているので、ナット３２を螺合させることで、第１特殊レンチ１は深さ調整治具３から脱落しない状態になる。この状態で、マンホール蓋１０５が外された消火栓ボックスＢのマンホール穴の上部に、深さ調整治具３の直線状本体部３０が水平になるように載置する。深さ調整治具３は、マンホール穴をまたがるように載置されるだけであり、穴の内部、すなわち、消火栓１０３や補修弁１０２の様子は地上から観察することができる。
【００３６】
作業員は、マンホール穴内の様子を見ながら、第１特殊レンチ１のボルト係合部１１の高さを上部フランジ１０２ｂの裏面にあるボルト２００の高さに合致するように挿入深さを調整する。かかる調整は、ナット３２を上下方向に移動しながら行うことができ、合致した位置にナット３２がセットされることで調整が完了する。図５、図６に示す状態は、調整が完了した状態であり、作業員は、第１特殊レンチ１から手を離しても、調整完了した状態が保持される。
【００３７】
作業員は、もう一方の第２特殊レンチ２を操作して、ナット係合部２１の係合溝２１ａがナット２０１に係合するように地上から操作する。ナット２０１は、フランジ１０３ｂの上面に位置しており、地上からの観察が容易である。ナット２０１の係合が完了した後、作業員は第２特殊レンチ２の操作部２２を持って回転させることで、ナット２０１を緩めていくことができる。なお、この作業を行っている時に、ナット２０１の回転と一緒にボルト２００（第１特殊レンチ１）も回転しようとする（図６（ｂ）のＣ方向。いわゆる、共回り）。しかし、図６に示すように、当接部１３の第２当接部分１３ｂがフランジ１０２ｂに当接するので、それ以上回転しない。これにより、共周りを防止することができ、操作をスムーズに行うことができる。なお、当接させる場所は、フランジ１０３ｂでもよい。
【００３８】
ボルト２００が完全に緩んだ後も、ボルト係合部１１の裏面にはワッシャー１２が設けられており、ボルト２００は下方に落下しない。ボルト・ナットの取り外しが完了した後は、作業用工具セットを一旦除去して、消火栓１０３を上に持ち上げることができる。これにより、メンテナンス作業を開始することができる。
【００３９】
メンテナンス作業が終了した後は、再び、消火栓１０３を補修弁１０２の上に取り付ける必要がある。この時は、ボルト・ナットを取り外す時の動作と逆の動作を行うことで、ボルト・ナットを締め付けることができる。この場合、共周りの防止は、当接部１０３のもう一方の第１当接部分１３ａにより行うことができる。
【００４０】
以上のように、地上から消火栓１０３の取り外しを行うことができるので作業性が改善される。
【００４１】
＜別実施形態＞
本実施形態では、消火栓１０３を補修弁１０２から取り外す場合の作業を説明したが、補修弁１０２と分岐部１０１から取り外す場合も、本考案に係る作業用工具セットを用いることができる。
【００４２】
本実施形態では、第１特殊レンチ１を深さ調整治具３に保持させ、第２特殊レンチ２を作業員が操作するように構成しているが、この関係を逆にしてもよい。また、本実施形態では、ボルト２００が下側に位置し、ナット２０１が上側に位置するようにフランジ同士を締め付けているが、ボルト２００を上側にし、ナット２０１を下側に位置させる場合も、本考案に係る作業用工具セットを用いることができる。ボルト２０２、ナット２０３についても同様である。
【符号の説明】
【００４３】
Ｂ          消火栓ボックス
１          第１特殊レンチ
２          第２特殊レンチ
３          深さ調整治具
１０        棒状本体部
１０ａ      雄ねじ部
１１        ボルト係合部
１２        ワッシャー
１３        当接部
１３ａ      第１当接部分
１３ｂ      第２当接部分
２０        棒状本体部
２１        ナット係合部
２１ａ      係合溝
３０        直線状本体部
３１        孔
３２        ナット
１００      配管
１０１      分岐部
１０２      補修弁
１０３      消火栓
２００，２０２    ボルト
２０１，２０３    ナット
【図１】
0003169542.tif 000003
【図２】
0003169542.tif 000004
【図３】
0003169542.tif 000005
【図４】
0003169542.tif 000006
【図５】
0003169542.tif 000007
【図６】
0003169542.tif 000008